Podtech/llm-jp-corpus-v4-ja_patent huggingface dataset:
(57)【特許請求の範囲】
【請求項１】
長方形の板（１）二枚の短手側一ヶ所を上下に動くようにつないだ支点側の内上下二ヶ所に、平歯車の歯の形状に加工した直方体（２）を歯と歯の隙間が閉じた時に均等にかみ合うように設けた鶏手羽先の骨を砕く道具。
【発明の詳細な説明】
【技術分野】
【０００１】  この発明は、鶏手羽先の細い方から第一関節までの骨を細かく砕く道具に関するものである。
【背景技術】
【０００２】  従来、鶏手羽先の骨を砕く道具は無かった。
【先行技術文献】
【特許文献】
【特許文献】不明
【０００３】
【非特許文献】
【０００４】
【非特許文献１】なし
【発明の概要】
【発明が解決しようとする課題】
【０００５】これは次のような欠点があった。
従来、市販されている鶏手羽先は、手羽中と手羽先、この二つの部位がつながっている物が多い。しかしながら、細い方から第一関節までの真の手羽先の部分は、細く取り除きづらい骨があるため、まだ、食べられる部分が残っているにもかかわらず、食べづらいという理由から多くは廃棄されていた。
本発明は、以上のような欠点をなくすためになされたものである。
【課題を解決するための手段】
【０００６】長方形の板（１）二枚の短手側一ヶ所を上下に動くようにつなぎ支点とし、平歯車の歯の形状を広い一面だけに加工した直方体（２）を長方形の板（１）二枚の支点側内上下二ヶ所に平歯車の歯の形状に加工した直方体（２）を歯と歯の隙間が、閉じた時に均等にかみ合うように設ける。
本発明は、以上の構成からなる鶏手羽先の骨を砕く道具である。
【発明の効果】
【０００７】支点一力点一作用点が生まれ、内上下二ヶ所に設けた長方体（２）の間に鶏手羽先を歯に対して垂直に置き、長方体の板の一方だけを押して手羽先に力を加えることによって、手羽先の柔らかい部分は歯と歯の隙間に入り込むため、細い骨だけを上下の歯の先端で確実に細かく砕くことが出来る。
【図面の簡単な説明】
【０００８】
【図１】本発明の側面図である。
【図２】本発明の正面図である。
【図３】本発明の斜視図である。
【発明を実施するための形態】
【０００９】  以下、本発明を実施するための形態について説明する。
金属製又はプラスチック製の長方形の板（１）二枚の短手側一ヶ所をピン（３）で上下に動くようにつなぎ、支点側の内上下に金属製又はプラスチック製の平歯車の歯の形状に加工した直方体（２）を歯がかみ合うように接着剤で固定する。
【００１０】「他の接合方法として、長方形の板（１）二枚のつなぎ部分又は平歯全ての歯の形状に加工した直方体（２）の固定部分にボルトを使った鶏手羽先の骨を砕く道具。」
【００１１】「鶏手羽先のすべり防止のため、内上下それぞれに取り付けた平歯車の歯の形状に加工した直方体（２）の下だけに金属製又はプラスチック製の薄い板を平歯車の歯の形状に加工した直方体（２）の力点側に歯の上面より高く設けた鶏手羽先の骨を砕く道具。」
本発明は、以上のような構造である。
これを使用するときは、鶏手羽先の骨を砕く道具を平らな場所に置き、歯と歯の間に鶏手羽先の細い方から第一関節までを入れて、支点の反対側の力点を下に押して鶏手羽先の骨を砕けばよい。
【符号の説明】
【００１２】  １長方形の板
２平歯車の歯の形状に加工した直方体
３ピン
【図１】
0006132169.tif 000002
【図２】
0006132169.tif 000003
【図３】
0006132169.tif 000004
(57)【特許請求の範囲】
【請求項１】
屋根上に配置する防水、防風用養生シートにおいて、略長方形養生シートに補強材３４を介し、フライシート３５を付した事により、挟み込む機能を有したフライシートの先端部に閂型３６を付した上記構成からなる養生シート以下フライシート付養生シート４０と
略長方形養生シートにおいて、水切り用見切りロープ３８を付した事により、折点が明確となり、水切りシート３０を折り返す事により、防雨機能を有し、補強材３４を介し帯状輪っか３１を付した、上記構成からなる養生シート以下水切り付き養生シート４１とで構成され、
水切り付き養生シート４１に付してる、水切り用見切ロープ３８を折点として、水切りシート３０を折り返しフライシート付養生シート４０に付してるフライシート３５にて挟み込み重ね合わせ、閂型３６と帯状輪っか３１をネジ付きロックピン３７で一体化させた事により、フライシート付養生シート４０と水切付き養生シート４１の接続部における、防水、防風性能を高めた事を特徴とする養生シート。
【発明の詳細な説明】
【技術分野】
【０００１】
本発明は、防水、防風性能を高めた屋根上に設置する養生シートに関する。
【発明の概要】
【発明が解決しようとする課題】
【０００２】
従来の養生シートでの屋根の養生においては、接続部における土のう、紐等の接続状況では重ね合わせの部分から水が入り込む可能性があり、また風雨に対し端部がめくれる事もあるため、雨漏りの原因ともなる。
【課題を解決するための手段】
【０００３】
上記課題を解決する為に、屋根上に配置する防水、防風用養生シートにおいて、略長方形養生シートに補強材３４を介し、フライシート３５を付した事により、挟み込む機能を有したフライシートの先端部に閂型３６を付した上記構成からなる養生シート以下フライシート付養生シート４０と
略長方形養生シートにおいて、水切り用見切りロープ３８を付した事により、折点が明確となり、水切りシート３０を折り返す事により、防雨機能を有し、補強材３４を介し帯状輪っか３１を付した、上記構成からなる養生シート以下水切り付き養生シート４１とで構成され、
水切り付き養生シート４１に付してる、水切り用見切ロープ３８を折点として、水切りシート３０を折り返しフライシート付養生シート４０に付してるフライシート３５にて挟み込み重ね合わせ、閂型３６と帯状輪っか３１をネジ付きロックピン３７で一体化させた事により、フライシート付養生シート４０と水切付き養生シート４１の接続部における、防水、防風性能を高めた事を特徴とする養生シートが提供される。
【発明の効果】
【０００４】
防水、防風性能が高まる上に、閂型ネジ付き（３６）ロックピン（３７）及び帯状輪（３１）を活用した作業法により、紐や土のうを用いた固定法よりも、作業効率が改善され、作業時間の短縮を図れる上、作業の安全性も高
まる。
【図面の簡単な説明】
【０００５】
【図１】全体図。
【図２】閂型ロックピンと帯状輪っかの接合分離図。
【図３】フライシート及び水切りシートの未接合分離断面図。
【符号の説明】
【０００６】
１〜１´、２ａ〜２ａ´      水切り付き養生シート４隅の端部
３〜３´、４ａ〜４ａ´      フライシート付き養生シート４隅の端部
７〜７´、８ａ〜８ａ´      水切り付き養生シート４隅の端部
９〜９´、１０ａ〜１０ａ´  フライシート付き養生シート４隅の端部
２０〜２０、２１ａ〜２１ａ  フライシート４隅の端部
２２〜２２、２３ａ〜２３ａ  フライシート４隅の端部
２４〜２４、２５ａ〜２５ａ  フライシート４隅の端部
２６〜２６、２７ａ〜２７ａ  フライシート４隅の端部
３１                        帯状輪っか
３４                        補強材
３６                        閂型
３７                        ネジ付きロックピン
３２                        ファスナー
３８                        水切り用見切りロープ
３０                        水切りシート
３５                        フライシート
４０                        フライシート付き養生シート
４１                        水切り付き養生シート
【図１】
0006888200.tif 000002
【図２】
0006888200.tif 000003
【図３】
0006888200.tif 000004
(57)【特許請求の範囲】
【請求項１】
支軸を支点とした回動により開閉可能な厚さが均一な平板状の鍵盤蓋であって、鍵盤蓋を閉じた際に、ピアノ本体の口棒と接合する張り出し縁部を鍵盤蓋に備え、かつ、ピアノ本体の前框下部の開口部を閉鎖する閉鎖板を前記張り出し縁部と反対側の鍵盤蓋端部に設けるとともに、鍵盤蓋には開口窓を設け、鍵盤蓋を開いた際に、該開口窓を開閉自在とする窓パネルを備えたことを特徴とするグランドピアノ用鍵盤蓋。
【請求項２】
前記開口窓は、前記鍵盤蓋の長手方向で前記支軸側に設けられた横長の形状であり、前記開口窓を開閉する窓パネルは蝶番により鍵盤蓋に支持されていることを特徴とする請求項1に記載のグランドピアノ用鍵盤蓋。
【発明の詳細な説明】
【技術分野】
【０００１】
本発明は、グランドピアノ用の鍵盤蓋に関する。
【背景技術】
【０００２】
従来の鍵盤蓋を開いた状態を示す断面図を図３に示す。図３において、鍵盤蓋２が閉まる位置は、ピアノ本体１の口棒３と鍵盤蓋２の張り出し縁部２ａが接触した位置である。正確には、口棒３に設置した緩衝のためのゴムボタン４と、張り出し縁部２ａの端部との接触で決まる。また、鍵盤蓋２の演奏者側の張り出し縁部２ａの反対側にいくほど厚みを有する断面視傾斜した曲線状の構造となっており、その最大厚を有する端部２ｂが、鍵盤蓋２を閉じた際に、ピアノ本体１の前框５の下部の開口部６を閉鎖する状態となり、ピアノ内部と外部との温湿度変化を極力防いでいる。鍵盤蓋２を開いた際には、前框５の下部の開口部６が露出されるが、鍵盤蓋２に遮られて見えなくなる。なお、１０は鍵盤蓋２の開閉時の支点となる支軸である。
【先行技術文献】
【特許文献】
【０００３】
【特許文献１】特開２００１−１５４６５８
【特許文献２】特開平１０−１４３１４２
【特許文献３】実登３０３８００４
【特許文献４】実開昭６２−００６７９６
【発明の概要】
【発明が解決しようとする課題】
【０００４】
上記の従来の鍵盤蓋では、前框５とその下部の開口部６が演奏中は概ね塞がれているため、ピアノ本体１の図示せぬ打弦機構収納エリアから出る音のエネルギーが、鍵盤側に開放されずピアノ本体１内で滞留することになり、演奏者側に、デリケートな響き具合の情報が伝わってこない。
【課題を解決するための手段】
【０００５】
上記課題を解決するために、本発明は、厚さが均一な平板状の鍵盤蓋であって、鍵盤蓋を閉じた際に、ピアノ本体の前框下部の開口部を閉鎖する閉鎖板を前記張り出し部と反対側の鍵盤蓋端部に設けるとともに、鍵盤蓋には開口を設け、鍵盤蓋を開いた際に、該開口を開閉自在とする窓パネルを備えたことを特徴とするグランドピアノ用鍵盤蓋を提供する。
【発明の効果】
【０００６】
鍵盤蓋の窓パネルを開くことにより、即座に空間通路を作ることができ、演奏者が自分の判断で、作曲者や曲想のため音響効果を、ペダル機能だけでなく、新しい方法手段として、音色や音量調整を自由に機能調整できる方法手段が提供される。演奏者の指から指令した、瞬間の音とタッチ感の情報をより速く、緻密に、鍵盤に触れている手元の皮膚や神経から掴み取ることが可能となる。
【図面の簡単な説明】
【０００７】
【図１】本発明の鍵盤蓋の使用状態を示す部分断面図である。
【図２】本発明の鍵盤蓋の斜視図である。
【図３】従来の鍵盤蓋の使用状態を示す部分断面図である。
【発明を実施するための形態】
【０００８】
図１は本発明の鍵盤蓋の使用状態を示す部分断面図、図２は本発明の鍵盤蓋の斜視図である。これらの図において、図３と同じ構成部については同番号を付し、詳細な説明は省略する。図1及び図２において、鍵盤蓋７は、支軸１０を支点として回動することにより、鍵盤蓋７を開閉可能としている。鍵盤蓋７の前記支軸１０と反対側には、一対の張り出し縁部７ａが設けられ、鍵盤蓋７を閉じた際に、前記張り出し縁部７ａの端部が口棒３に設置されたゴムボタン４と接合するようになっている。なお、この一対の張り出し縁部７ａは、所定の間隔を有して設けられているので、鍵盤蓋７を閉じた場合でも、鍵盤蓋７と口棒３には空隙を有するので、この空隙の箇所に指が入るようにして鍵盤蓋７を閉じることが可能となる。
【０００９】
また、鍵盤蓋７の支軸１０側には、閉鎖板７ｂが鍵盤蓋７の平板部と垂直になるように設けられており、鍵盤蓋７を閉じた際に、前框５の下部の開口部６を閉鎖するような形状となっている。さらに、鍵盤蓋７を開いた際には、鍵盤蓋７により前記開口部６が遮蔽されるのだが、本発明の鍵盤蓋７には、横長の開口窓９が支軸１０側に設けられるとともに、この開口窓９は蝶番１１で鍵盤蓋７に支持された窓パネル８により開閉自在となっている。したがって、鍵盤蓋７を開き、前記窓パネル８も開いた際に、ピアノ本体の打弦機構収納内部からの音が演奏者側の手元に流れる空間通路を作り、この状態で演奏することにより、開口窓９からピアノの演奏音を導出することが可能となる。そのため、打弦機構収納エリアから出る音のエネルギーが、ピアノ本体１内で滞留することなく、演奏者にデリケートな響き具合の情報を伝えることができるようになる。
【産業上の利用可能性】
【００１０】
本発明は、演奏者が演奏中に微妙な音の雰囲気を感じ取ることを可能にしたグランドピアノ用の鍵盤蓋として有用である。
【符号の説明】
【００１１】
１・・・ピアノ本体、２・・・鍵盤蓋、２ａ・・・張り出し縁部、２ｂ・・・端部、３・・・口棒、４・・・ゴムボタン、５・・・前框、６・・・開口部、７・・・鍵盤蓋、７ａ・・・張り出し縁部、７ｂ・・・閉鎖板、８・・・窓パネル、９・・・開口窓、１０・・・支軸、１１・・・蝶番
【要約】
【課題】ピアノ本体の打弦機構収納エリアから出る音に関して、演奏者側にデリケートな響き具合の情報が伝わってこない。
【解決手段】鍵盤蓋を開いた際に、ピアノ本体の前框下部の開口部を閉鎖する閉鎖板を前記張り出し部と反対側の鍵盤蓋端部に設けるとともに、鍵盤蓋に、開閉自在とする窓パネルを備えた開口窓を設け、演奏中に窓パネルを開くことにより、ピアノ本体からのデリケートな音情報も感じ取ることができる。
【選択図】図２【図１】
0006888767.tif 000002
【図２】
0006888767.tif 000003
【図３】
0006888767.tif 000004
(57)【特許請求の範囲】
【請求項１】
パッティングアドレス姿勢におけるプレーヤーの両眼瞳孔を通る仮想線の側方直近に位置するラインレーザー発振器が振り子装置に取り付けられ、前記振り子装置は練習マットまたは練習グリーンに対して自由回転により鉛直に保たれ、鉛直下方に想定するパッティングラインを投影するパッティングアドレス矯正器。
【請求項２】
ラインレーザー発振器は、投影範囲調整ねじによって固定されライン投影範囲が調整される請求項１記載のパッティングアドレス矯正器。
【発明の詳細な説明】
【技術分野】
【０００１】
ゴルフのパッティングにおけるボールの打ち出し方向のラインとプレーヤーの両眼を結ぶ線が合致していることと、ボールを打ち出すパッティングラインの鉛直上方に両眼があることが確認できるようラインレーザー発振器を利用したパッティングアドレス矯正器に関するものである。
【背景技術】
【０００２】
ゴルフパッティングにおいて想定するパッティングラインおよびボールの鉛直上方に両眼を位置することを可能にするため振り子装置を利用したラインレーザー発振器を側頭部にヘッドバンドで取り付け練習マットや練習グリーン上に想定するパッティングラインをレーザー光で投影する。
【先行技術文献】
【特許文献】
【０００３】
【特許文献１】特開平９−１５４９９５
【特許文献２】特開２００６−２５５３９０
【発明の概要】
【発明が解決しようとする課題】
【０００４】
ゴルフパターの練習器具にはレーザーを使用しパッティングラインを表示する器具が考案されている。  しかし、パッティングでアドレスする場合基本的に両眼は想定するパッティングラインやボールの真上に位置することが望ましいといわれているが、視覚や感覚によるものでありアドレスで両眼を正確に想定するパッティングラインやボールの真上に位置することが出来ない。
【課題を解決するための手段】
【０００５】
本考案は、バネ状のヘッドバンド（１）にラインレーザー発振器（４）を取り付けた振り子装置（２）を両眼瞳孔を結ぶ仮想線（５）と一致する側頭部付近に取り付け、ラインレーザー発振器（４）を振り子（３）の振り子軸（ｘ）によって鉛直に吊り下げる。  ラインレーザー発振器（４）より扇状に投影されるレーザーのライン（ａ−ｂ）を両眼の鉛直下方のゴルフボール（７）の中心と想定するパッティングライン（８）に合致させることでアドレスの姿勢が完成する。  ラインレーザー投光点（ｅ）は両眼瞳孔を結ぶ仮想線（５）と鉛直で一致する位置に位置調整ねじ（１１）で調整する。  さらに、投影されるレーザーのライン（ａ−ｂ）が両眼瞳孔を結ぶ仮想線（５）と平行になるように捩れ調整ねじ（１２）で捩れ調整軸（ｙ）を中心に回転させて調整する。  両眼をやや目標方向に向けたときの顔の傾きの調整は位置調整ねじ（１１）の顔傾き安定化軸（ｚ）で振り子中駒（１０）が自由回転し鉛直に保たれる。（図５）  ラインレーザー発振器（４）は振り子（３）にラインレーザー保持器（１４）とラインレーザー固定ねじ（１５）で取り付ける。  鉛直下方に投影するラインレーザーの投影範囲はライン投影範囲調整ねじ（１６）でラインレーザー発振器（４）の固定角度を調整してライン（ａ−ｂ）の投影位置を調整する。  また、ヘッドバンド（１）と振り子装置（２）は固定ピン（１３）で取り付けその固定圧力によってラインレーザー発振器（４）が真下に向くよう回転摺動させて調整する。  なお、本パッティングアドレス矯正器は右利き左利きどちらのプレーヤーでも左右反転して使用可能である。
【発明の効果】
【０００６】
パター練習においてアドレス時の両眼の中心を結ぶ仮想線（５）を正確に想定するパッティングライン（８）の鉛直上方に位置させることができ、通常のパッティング練習で従来の感覚的なアドレス姿勢を正確に矯正することができる。
【図面の簡単な説明】
【０００７】
【図１】実施例斜視図
【図２】実施例側面図
【図３】部分拡大正面図
【図４】部分拡大側面図
【図５】顔を約１５度傾けたときの説明図
【符号の説明】
【０００８】
１    ヘッドバンド
２    振り子装置
３    振り子
４    ラインレーザー発振器
５    両眼瞳孔を結ぶ仮想線
６    パタークラブ
７    ゴルフボール
８    想定するパッティングライン
９    カップ
１０  振り子中駒
１１  位置調整ねじ
１２  捩れ調整ねじ
１３  固定ピン
１４  ラインレーザー保持器
１５  ラインレーザー固定ねじ
１６  ライン投影範囲調整ねじ
ａ    ラインレーザー投影端点
ｂ    ラインレーザー投影端点
ｃ    右目鉛直下方点
ｄ    左目鉛直下方点
ｅ    ラインレーザー投光点
ｆ    ラインレーザー鉛直下方点
Ｒ    右目鉛直仮想線
Ｌ    左目鉛直仮想線
ｘ    振り子軸
ｙ    捩れ調整軸
ｚ    顔傾き安定化軸
【図１】
0006826274.tif 000002
【図２】
0006826274.tif 000003
【図３】
0006826274.tif 000004
【図４】
0006826274.tif 000005
【図５】
0006826274.tif 000006
(57)【特許請求の範囲】
【請求項１】
背もたれの上部にシリンダーを設け、枕付きのピストンをシリンダーに侵入させ、ボルトでピストンを固定と固定解除を可能にし、ピストン付のシリンダーを椅子の四隅に設け、シリンダーは、また、前脚と後脚を兼ねる、ピストンを肘掛けに固定し、肘掛けの中央に穴を設け、穴の上下にリングを設け、クランク棒を穴に侵入させ、止めネジでリングをクランク棒に固定し、クランク棒に雄ネジを設け、筒に雌ネジを設け、クランク棒を筒に侵入させ、筒を横台に固定し、横台を前後のシリンダーに連結し、また、横台を、両サイドに設け、クランク棒を回転させ、肘掛けを上下に移動可能にし、椅子に腰掛けて、胸を前に反らして、肘掛けに手を載せて猫背を治す、猫背矯正機。
【発明の詳細な説明】
【技術分野】
【０００１】
椅子に腰掛けて、猫背と腰の曲がりを矯正と予防に関するものである。
【背景技術】
【０００２】
年を重ねると猫背と腰が曲がる人が多いのに、注目度が低く、矯正心が少ない。
【発明の概要】
【発明が解決しようとする課題】
【０００３】
猫背、及び、腰が曲がると内臓を圧迫し、機能を低下させ、血流とリンパ液の流が悪化し、万病のもとになる。
本発明は、以上の問題点を解決するためになされたものである。
【課題を解決するための手段】
【０００４】
背もたれ（6）の上部にシリンダー（12）を設け、枕（８）付きのピストン（11）をシリンダー（12）に侵入させ、ボルト（９）でピストン（11）を固定と固定解除を可能にし、ピストン（10）付のシリンダー（13）を椅子（21）の四隅に設け、ピストン（10）を肘掛け（５）に固定し、肘掛け（5）の中央に穴（16）を設け、穴（16）の上下にリング（14）を設け、クランク棒（17）を穴（16）に侵入させ、止めネジ（15）でリング（14）をクランク棒（17）に固定し、クランク棒（17）に雄ネジ（19）を設け、筒（18）に雌ネジ（20）を設け、クランク棒（17）を筒（18）侵入させ、筒（18）を横台（2）に固定し、クランク棒（17）を回転させ、肘掛け（５）を、上下に移動可能にし、肘掛け（5）に手を載せる。
以上の構成よりなる猫背矯正機。
【発明の効果】
【０００５】
（イ）本発明は、猫背と腰の曲がりを矯正し、肉体改造をして健康に近づける。
（ロ）肘掛けの高さを変更すると、身体が大変に楽になる。
（ハ）姿勢が治り、見た目が良くなり、また、若返る。
【図面の簡単な説明】
【０００６】
【図１】本発明の正面図。
【図２】本発明の側面図。
【発明を実施するための形態】
【０００７】
以下、本発明の実施の形態を説明する。
1・ピストン（11）、シリンダー（12）、枕（8）は、四角形で、背もたれ（6）の上部に設ける。
2・肘掛け（5）は、四角形で、椅子（21）の左右に設ける。
3・ピストン（10）とシリンダー（13）は、円柱形で椅子（21）の四隅に設け、また、シリンダー（13）は、前脚（3）と後脚（4）を兼ねる。
4・ピストン（10）は、肘掛け（5）に設ける。
5・肘掛け（5）に穴（16）を設け、穴（16）の上下にリング（14）を設ける。
6・クランク棒（17）を穴（16）に侵入させ、リング（14）をクランク棒（17）に固定する。
7・クランク棒（17）の先端を筒（18）に侵入させる。
本発明は以上のような構造である。
本発明を使用するときは。
ボルト（9）を緩め、頭の高さに枕（8）を合わせてボルトを締めてピストン（11）を固定し、椅子に腰掛けてクランク棒（17）を回転させて、肘掛け（5）を肩の高さにして、肘掛け（5）に手を載せて手を後方に移動させ、胸を前に反らす。
クランク棒（17）を回転させて肘掛け（5）の高さを変更して、身体が楽な位置に肘掛け（5）を設定する。
【符号の説明】
【０００８】
1前台、2横台、3前脚、4後脚、5肘掛け、6背もたれ、7クッション、8枕、9ボルト、10ピストン、11ピストン、12シリンダー、13シリンダー、14リング、15止めネジ、16穴、17クランク棒、18筒、19雄ネジ、20雌ネジ、21椅子、
【要約】      （修正有）【課題】猫背、及び、腰の曲がりを矯正、予防する猫背矯正機を提供する。【解決手段】椅子２１の背もたれ６に枕８を設け、枕を上下移動可能にし、クランク棒１７を肘掛け５に設け、クランク棒を回転させて、肘掛けを上下移動可能にして、肘掛けを肩の高さに設定し、肘掛けに手を載せて手を後方に引いて、胸を前に反らす猫背矯正機。【選択図】図１【図１】
0006978019.tif 000002
【図２】
0006978019.tif 000003
(57)【特許請求の範囲】
【請求項１】
釣り糸を切断するためのラインカッターであって、指に嵌めて保持可能なよう、断面円形の形状に軸方向に連続する切欠きを形成してなる断面Ｃ形の形状とされ、前記切欠きは、該ラインカッターの弾性によって開閉自在とされると共に、その両縁に、釣り糸を挟んで切断可能な刃部が形成されたことを特徴とするラインカッター。
【発明の詳細な説明】
【技術分野】
【０００１】
本発明は、釣り糸を切断するためのラインカッターに関するものである。
【背景技術】
【０００２】
一般に、釣り糸を切断するためのラインカッターとして、爪切りのような構造のものや、ハサミと同じ構造のもの、熱で切断するライターのような構造のものが用いられる。
【０００３】
ただ、これらのラインカッターは、いずれも手で持って釣り糸を切断するものであるので、例えば、釣り糸を手で結ぶときには邪魔になるので手に持たず、近くに置いて使うことになり、釣り糸を切断するときに持ち替える必要がある。また、取り落としたり見失ったりするおそれがあり、それを探して拾う必要がある分、結んだ釣り糸から余った部分を切り落とすのに手間取るおそれがある。
【０００４】
これに対し、例えば特許文献１は、釣り糸を切断するためのラインカッターではないものの、糸を用いて作業する際に紛失することがないよう、指に装着して使用する糸切リングを開示している（図３参照）。
【０００５】
特許文献１の糸切リングは、指の太さに応じて内径を変更することが可能なように、塑性変形可能な金属製の帯板部材を筒状に巻いてリング部１０１を形成し、その帯板部材の端部に切断作用部１０２を起立形成したものであり、リング部１０１に指を挿入した状態で、切断すべき糸を切断作用部１０２に導きつつ、その糸にテンションをかけて切断するようになっている。
【先行技術文献】
【特許文献】
【０００６】
【特許文献１】登録実用新案公報第３０５１７２２号（段落０００７、０００８、００１９、００２１、００２５、図１）
【発明の概要】
【発明が解決しようとする課題】
【０００７】
ところが、特許文献１の糸切リングは、縫製作業に用いる比較的に弱い糸を切断するためのものであるので、これをそのまま比較的に高強度の釣り糸を切断するためのラインカッターとして用いることはできない。
【０００８】
本発明は、例えば、釣り糸を両手で結びその端末を切断する一連の作業を速やかに行い、持ち替え時の取り落としや紛失を防止することができ、しかも、比較的に高強度の釣り糸を切断することのできるラインカッターの提供を目的とする。
【課題を解決するための手段】
【０００９】
上記目的を達成するために、本発明に係るラインカッターは、釣り糸を切断するためのものであり、指に嵌めて保持可能なよう、断面円形の形状に軸方向に連続する切欠きを形成してなる断面Ｃ形の形状とし、その切欠きを、ラインカッターの弾性によって開閉自在とすると共に、その切欠きの両縁に、釣り糸を挟んで切断可能な刃部を形成したものである。
【００１０】
上記構成によれば、例えば、ラインカッターを指に嵌めたまま、両手を使って釣り糸を結ぶことができるので、その端末を切断するまでの一連の作業を速やかに行うと共に、ラインカッターの取り落としや紛失を防止することができる。しかも、ラインカッターを断面Ｃ形の弾性を有するものとして、その切欠きの両縁に刃部を形成するので、断面Ｃ形のラインカッターをその両側の指で挟んで、弾性に抗して切欠きを閉じることにより、比較的に高強度の釣り糸を刃部で挟んで切断することができる。
【発明の効果】
【００１１】
以上のとおり、本発明によると、ラインカッターを断面Ｃ形の弾性を有するものとして、さらに、その切欠きの両縁に刃部を形成するようにしている。これにより、ラインカッターを指に嵌めておくことによって、例えば両手を使って釣り糸を結びその端末を切断する一連の作業を速やかに行い、持ち替え時の取り落としや紛失を防止することができ、しかも、指に嵌めたラインカッターをその両側の指で挟んで切欠きを閉じることにより、比較的に高強度の釣り糸を刃部で挟んで切断することができる。
【図面の簡単な説明】
【００１２】
【図１】本発明に係るラインカッターの斜視図
【図２】ラインカッターで釣り糸を切断する様子を示す図
【図３】従来の糸切リングの斜視図
【発明を実施するための形態】
【００１３】
以下、本発明に係るラインカッターを実施するための形態について、図面を用いて説明する。
【００１４】
図１及び図２に示すように、ラインカッター１は、釣り糸２を切断するためのものであり、例えば人差し指３に嵌めて保持可能なよう、断面円形の形状に軸方向に連続する切欠き４を形成してなる断面Ｃ形の形状で、樹脂や金属、セラミックなどによる高剛性の構造に形成され、切欠き４をこのラインカッター１の弾性によって開閉自在とすると共に、その両縁に、釣り糸２を挟んで切断可能な刃部５、６を形成したものであり、例えば、人差し指３に嵌めたまま、取り落とすことなく、両手で釣り糸２を結ぶことができるようになっている。
【００１５】
図２に示すように、ラインカッター１を用いて釣り糸２を切断するには、まず、ラインカッター１を人差し指３に嵌めたまま、その切欠き４に釣り糸２を通す。次に、ラインカッター１を両側の親指７と中指８とで挟んで弾性変形させることにより、切欠き４を閉じて、その両縁の刃部５、６で釣り糸２を切断する。
【００１６】
釣り糸２は、ナイロンやフロロカーボン、ポリエチレンなどからなる高強度の糸であるが、刃部５、６で挟むことにより、容易に切断することができる。また、ラインカッター１を高剛性の構造とすることにより、刃部５、６が径方向に互いにずれるような変形を抑えることができ、釣り糸２を正確に挟んで切断することができる。また、釣り糸２を刃部５、６で挟んで切断するので、例えば、ハサミを用いる場合と比較して、釣り糸２の結び目に極力近い部位を切断することができる。
【００１７】
なお、本発明は、上記の実施形態に限定されるものではなく、本発明の範囲内において、適宜変更を加えることができる。例えば、ラインカッター１は、断面真円に限らず、断面多角形の形状に軸方向に連続する切欠きを形成してなる断面Ｃ形の形状のものであってもよい。
【符号の説明】
【００１８】
１      ラインカッター
２      釣り糸
３      人差し指
４      切欠き
５、６  刃部
７      親指
８      中指
【要約】
【課題】例えば、釣り糸を両手で結びその端末を切断する一連の作業を速やかに行い、持ち替え時の取り落としや紛失を防止することができ、しかも、比較的に高強度の釣り糸を切断することのできるラインカッターの提供。
【解決手段】ラインカッター１を切欠き４のある断面Ｃ形の筒形状とする。ラインカッター１の弾性によって切欠き４を開閉自在とする。切欠き４の両縁に刃部５、６を形成する。ラインカッターを人差し指３に嵌めておき、両手を使って釣り糸を結びその端末を切断する一連の作業を速やかに行い、持ち替え時の取り落としや紛失を防止する。ラインカッターをその両側の親指７と中指８とで挟んで切欠き４を閉じる。比較的に高強度の釣り糸２が刃部５、６で切断される。
【選択図】  図２【図１】
0006978130.tif 000002
【図２】
0006978130.tif 000003
【図３】
0006978130.tif 000004
(57)【特許請求の範囲】
【請求項１】
コップの内側底部近くに抑制板（1a）（1b）（1c）（1d）を取付けることにより水道水の乱流
を抑制しコップから水が飛び出すことを防止する水飛び出し防止コップであって、抑制板
（1a）（1b）（1c）（1d）の取付け位置を工夫し上下方向に重なる抑制板（1a）（1b）（1c）（1d）
の間に隙間を開けることによりコップに溜まった水をコップを傾けることで排出が可能で
ある水飛び出し防止コップ。
【請求項２】
コップの内側に抑制板が一体化していないコップに後付けすることにより、水道水の乱流
を抑制することが可能となる抑制板ユニットであって、抑制板（２a）（２b）（２c）（２d）
及びステンレスバネ（３a）から構成される抑制板ユニット。
【発明の詳細な説明】
【技術分野】
【０００１】
本発明は、コップに水道水を汲むときに、水栓レバーハンドルの調整を誤り、水道水が勢いよく出てコップの中から水が弾かれ台所や洗面化粧台のシンクの周りを水浸しにしてしまうことがあるが、抑制板ユニットが付いていることにより水の飛び出しを防止することができるコップ。
【背景技術】
【０００２】
朝、急いで身支度をして歯磨きする際に歯磨きコップの水が飛び出し洗面
台を水浸しにしてしまい拭き取らなければならない状態になってしまうこと
があります。また、コップを洗う時にも水道水が跳ね返り周りを水浸しにして
しまうこともあり、コップの形状により水が跳ね返りやすいものが多く、特に
子供の歯磨き用コップにはそのような状況になり易く、お母さんの仕事を増や
してしまいがちです。コップに抑制板（1a）（1b）（1c）（1d）が付いてるこ
とで水道水の飛び出しを防止できます。
水道水の層流と乱流に関する流体解析等の研究内容についは公知である
が、コップ等に乱流した水道水を抑制する装置、器具などについては記載すべ
き先行技術文献情報は見つけることができません。
【発明の概要】
【発明が解決しようとする課題】
【０００３】
水道水の乱流によりコップに入った水が飛散してしまう。
【課題を解決するための手段】
【０００４】
水道水の乱流によりコップに入った水がコップ内側に取付けられた抑制
板（1a）（1b）（1c）（1d）により水の飛散を防止する。
【発明の効果】
【０００５】
コップ内に入った水道水が抑制板に当たることで乱流が抑えられ、水が
コップ内でぶつかり合うことによりコップの外に飛び出すことが無くなる。
【図面の簡単な説明】
【０００６】
【図１】本発明の斜視図である。
【図２】本発明の抑制板部分の斜視図である。
【図３】本発明の正面図である。
【図４】本発明の抑制板ユニットの斜視図である。
【符号の説明】
【０００７】
符号は、1aは抑制板、1bも抑制板、1cも抑制板、1dも抑制板、である。２aは抑制板ユニットの抑制板、２bも抑制板ユニットの抑制板、２cも抑制板ユニットの抑制板、２dも抑制板ユニットの抑制板、３aは抑制板ユニットをコップに圧着させるためのステンレスバネである。
【要約】
【課題】水道水をコップに汲む際に乱流による水の飛散を防止するコップを提供する。
洗面化粧台や台所はハンドルレバーの水栓が多く水圧を意識して操作しないと勢いよく
蛇口から水が出てしまいコップの底から水が弾かれ飛び出してしまいます。
【解決手段】コップ内の抑制板（1a）（1b）（1c）（1d）、コップに抑制板ユニット（２a）
（２b）（２c）（２d）（３a）を付けることによりコップ内で水道水がぶつかり合い
コップの外に水が飛び出さなくなる。
【選択図】図１【図１】
0006978180.tif 000002
【図２】
0006978180.tif 000003
【図３】
0006978180.tif 000004
【図４】
0006978180.tif 000005